【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
液体流入口および液体流出口が形成されたポンプケースと、
前記ポンプケースに装着される筒体と、
前記筒体の内周面に摺動接触する摺動面が設けられたピストン本体を有し、前記筒体内に軸方向に摺動自在に組み込まれるピストンと、
前記筒体の先端部に取り付けられ、前記ポンプケース内に前記液体流入口および前記液体流出口に連通するポンプ室を区画形成するとともに前記ピストンの先端との間で非圧縮性の間接媒体が封入される駆動室を区画形成する弾性変形自在のポンプベローズと、
前記ピストンの基端部と前記筒体との間に取り付けられ、前記ピストンの前記摺動面に連なるとともに非圧縮性の間接媒体が封入されるシール室を形成し、前記ピストン本体の外径とほぼ同一の平均有効径を有する軸方向に弾性変形自在のベローズからなる可撓性カバー部材と、
前記ピストンを軸方向に往復動する駆動軸が組み込まれ、前記ポンプケースに装着される駆動ユニットとを有することを特徴とする薬液供給装置。
【請求項２】
請求項１記載の薬液供給装置において、前記ピストンと前記ポンプベローズの先端部とを連結するとともに前記ピストン本体よりも小径の連結ロッドを前記ピストンに設けることを特徴とする薬液供給装置。
【請求項３】
請求項２記載の薬液供給装置において、前記ポンプベローズの平均有効径を前記ピストン本体の外径とほぼ同一とすることを特徴とする薬液供給装置。
【請求項４】
液体流入口および液体流出口が形成されたポンプケースと、
前記ポンプケースに装着される筒体と、
前記筒体の内周面に摺動接触する摺動面が設けられたピストン本体および当該ピストン本体の先端に設けられ前記ピストン本体よりも小径の連結ロッドを有し、前記筒体内に軸方向に摺動自在に組み込まれるピストンと、
前記筒体の先端部と前記連結ロッドの先端との間に取り付けられ、前記ポンプケース内に前記液体流入口および前記液体流出口に連通するポンプ室を区画形成するとともに前記ピストンの先端との間で非圧縮性の間接媒体が封入される駆動室を区画形成し、前記ピストン本体の外径とほぼ同一の平均有効径を有する弾性変形自在のポンプベローズと、
前記ピストンの基端部と前記筒体との間に取り付けられ、前記ピストンの前記摺動面に連なるとともに非圧縮性の間接媒体が封入されるシール室を形成する軸方向に弾性変形自在の可撓性カバー部材と、
前記ピストンを軸方向に往復動する駆動軸が組み込まれ、前記ポンプケースに装着される駆動ユニットとを有することを特徴とする薬液供給装置。
【請求項５】
請求項４記載の薬液供給装置において、前記可撓性カバー部材はダイヤフラムであることを特徴とする薬液供給装置。
【請求項６】
請求項１〜５のいずれか１項に記載の薬液供給装置において、前記基端部は前記ピストン本体よりも小径であることを特徴とする薬液供給装置。
【請求項７】
液体流入口および液体流出口が形成されたポンプケースに着脱自在に装着されるポンプ組立体であって、
ピストンが軸方向に摺動自在に組み込まれる筒体と、
前記筒体の先端部に取り付けられ、前記ピストンの先端との間で非圧縮性の間接媒体が封入される駆動室を区画形成する弾性変形自在のポンプベローズと、
前記ピストンの基端部と前記筒体との間に取り付けられ、前記ピストンの摺動面に連なるとともに非圧縮性の間接媒体が封入されるシール室を形成する軸方向に弾性変形自在の可撓性カバー部材とを有し、
前記ポンプケースに装着された状態のもとで前記ポンプベローズと前記ポンプケースとによりポンプ室を形成することを特徴とするポンプ組立体。
【請求項８】
請求項７記載のポンプ組立体において、前記ピストンと前記ポンプベローズの先端部とを連結するとともに前記ピストンよりも小径の連結ロッドを前記ピストンに設けることを特徴とするポンプ組立体。
【請求項９】
請求項７または８記載のポンプ組立体において、前記ピストンは前記筒体の内周面に接触するピストン本体と、当該ピストン本体よりも小径の基端部とを有し、前記可撓性カバー部材と前記基端部との間に前記シール室を形成することを特徴とするポンプ組立体。
【請求項１０】
請求項８記載のポンプ組立体において、前記ポンプベローズの平均有効径を前記ピストンの外径とほぼ同一とすることを特徴とするポンプ組立体。
【請求項１１】
請求項９記載のポンプ組立体において、前記可撓性カバー部材はベローズであり、当該ベローズの平均有効径を前記ピストン本体の外径とほぼ同一とすることを特徴とするポンプ組立体。
【請求項１２】
請求項７〜１０のいずれか１項に記載のポンプ組立体において、前記可撓性カバー部材はベローズまたはダイヤフラムであることを特徴とするポンプ組立体。
【手続補正２】
【補正対象書類名】明細書
【補正対象項目名】００１４
【補正方法】変更
【補正の内容】
【００１４】
本発明の薬液供給装置は、液体流入口および液体流出口が形成されたポンプケースと、前記ポンプケースに装着される筒体と、前記筒体の内周面に摺動接触する摺動面が設けられたピストン本体を有し、前記筒体内に軸方向に摺動自在に組み込まれるピストンと、
前記筒体の先端部に取り付けられ、前記ポンプケース内に前記液体流入口および前記液体流出口に連通するポンプ室を区画形成するとともに前記ピストンの先端との間で非圧縮性の間接媒体が封入される駆動室を区画形成する弾性変形自在のポンプベローズと、前記ピストンの基端部と前記筒体との間に取り付けられ、前記ピストンの前記摺動面に連なるとともに非圧縮性の間接媒体が封入されるシール室を形成し、前記ピストン本体の外径とほぼ同一の平均有効径を有する軸方向に弾性変形自在のベローズからなる可撓性カバー部材と、前記ピストンを軸方向に往復動する駆動軸が組み込まれ、前記ポンプケースに装着される駆動ユニットとを有することを特徴とする。
【手続補正３】
【補正対象書類名】明細書
【補正対象項目名】００１５
【補正方法】変更
【補正の内容】
【００１５】
本発明の薬液供給装置は、前記ピストンと前記ポンプベローズの先端部とを連結するとともに前記ピストン本体よりも小径の連結ロッドを前記ピストンに設けることを特徴とする。本発明の薬液供給装置は、前記ポンプベローズの平均有効径を前記ピストン本体の外径とほぼ同一とすることを特徴とする。
【手続補正４】
【補正対象書類名】明細書
【補正対象項目名】００１６
【補正方法】変更
【補正の内容】
【００１６】
本発明の薬液供給装置は、液体流入口および液体流出口が形成されたポンプケースと、前記ポンプケースに装着される筒体と、前記筒体の内周面に摺動接触する摺動面が設けられたピストン本体および当該ピストン本体の先端に設けられ前記ピストン本体よりも小径の連結ロッドを有し、前記筒体内に軸方向に摺動自在に組み込まれるピストンと、前記筒体の先端部と前記連結ロッドの先端との間に取り付けられ、前記ポンプケース内に前記液体流入口および前記液体流出口に連通するポンプ室を区画形成するとともに前記ピストンの先端との間で非圧縮性の間接媒体が封入される駆動室を区画形成し、前記ピストン本体の外径とほぼ同一の平均有効径を有する弾性変形自在のポンプベローズと、前記ピストンの基端部と前記筒体との間に取り付けられ、前記ピストンの前記摺動面に連なるとともに非圧縮性の間接媒体が封入されるシール室を形成する軸方向に弾性変形自在の可撓性カバー部材と、前記ピストンを軸方向に往復動する駆動軸が組み込まれ、前記ポンプケースに装着される駆動ユニットとを有することを特徴とする。本発明の薬液供給装置は、前記可撓性カバー部材はダイヤフラムであることを特徴とする。本発明の薬液供給装置は、前記基端部は前記ピストン本体よりも小径であることを特徴とする。
【手続補正５】
【補正対象書類名】明細書
【補正対象項目名】００１７
【補正方法】変更
【補正の内容】
【００１７】
本発明のポンプ組立体は、液体流入口および液体流出口が形成されたポンプケースに着脱自在に装着されるポンプ組立体であって、ピストンが軸方向に摺動自在に組み込まれる筒体と、前記筒体の先端部に取り付けられ、前記ピストンの先端との間で非圧縮性の間接媒体が封入される駆動室を区画形成する弾性変形自在のポンプベローズと、前記ピストンの基端部と前記筒体との間に取り付けられ、前記ピストンの摺動面に連なるとともに非圧縮性の間接媒体が封入されるシール室を形成する軸方向に弾性変形自在の可撓性カバー部材とを有し、前記ポンプケースに装着された状態のもとで前記ポンプベローズと前記ポンプケースとによりポンプ室を形成することを特徴とする。
【手続補正６】
【補正対象書類名】明細書
【補正対象項目名】００１８
【補正方法】変更
【補正の内容】
【００１８】
本発明のポンプ組立体は、前記ピストンと前記ポンプベローズの先端部とを連結するとともに前記ピストンよりも小径の連結ロッドを前記ピストンに設けることを特徴とする。本発明のポンプ組立体においては、前記ピストンは前記筒体の内周面に接触するピストン本体と、当該ピストン本体よりも小径の基端部とを有し、前記可撓性カバー部材と前記基端部との間に前記シール室を形成することを特徴とする。
【手続補正７】
【補正対象書類名】明細書
【補正対象項目名】００１９
【補正方法】変更
【補正の内容】
【００１９】
本発明のポンプ組立体は、前記ポンプベローズの平均有効径を前記ピストンの外径とほぼ同一とすることを特徴とする。また、本発明のポンプ組立体においては、前記可撓性カバー部材はベローズであり、当該ベローズの平均有効径を前記ピストン本体の外径とほぼ同一とすることを特徴とする。さらに、本発明のポンプ組立体においては、前記可撓性カバー部材はベローズまたはダイヤフラムであることを特徴とする。
【手続補正８】
【補正対象書類名】図面
【補正対象項目名】図５
【補正方法】変更
【補正の内容】
【図５】
2009138520.tif 000001